【手続補正書】
【提出日】平成19年12月25日(2007.12.25)
【手続補正１】
【補正対象書類名】明細書
【補正対象項目名】発明の名称
【補正方法】変更
【補正の内容】
【発明の名称】無線通信システム、入出規制装置、無線通信端末、及びこれらの制御方法
【手続補正２】
【補正対象書類名】明細書
【補正対象項目名】特許請求の範囲
【補正方法】変更
【補正の内容】
【特許請求の範囲】
【請求項１】  人の入出規制を行う入出規制装置と、該入出規制装置との間で通信を行う無線通信装置とを有する無線通信システムであって、
前記入出規制装置は、
第１の無線通信方式により、前記無線通信装置に対して通信機能の制限要求を送信し、前記無線通信装置から前記通信機能制限要求に対する応答を受信する通信手段と、
前記通信手段による前記通信機能制限要求の送信と前記応答の受信が完了すると、人の入出を許可するゲート装置と、を有し、
前記無線通信装置は、
前記第１の無線通信方式により前記入出規制装置と通信するための第１の通信手段と、
第２の無線通信方式により通信するための第２の通信手段と、
前記第１の通信手段によって前記入出規制装置から受信した前記通信機能制限要求に基づいて、前記第２の通信手段の通信を制限する制限手段と、
を有することを特徴とする無線通信システム。
【請求項２】  人の入出規制を行う入出規制装置と、人の入出を管理するサーバ装置を有する無線通信システムであって、
前記入出規制装置は、
第１の無線通信方式により、無線通信装置に対して通信機能の制限要求を送信し、前記無線通信装置から前記通信機能制限要求に対する応答を受信する通信手段と、
前記通信手段による前記通信機能制限要求の送信と前記応答の受信が完了すると、人の入出を許可するゲート装置と、
前記通信手段により受信した前記応答の送信元である無線通信装置が、所定のエリア内に存在することを前記サーバ装置に通知する通知手段と、を有し、
前記サーバ装置は、
前記通知手段による通知に基づいて、前記無線通信装置の存在場所を管理する管理手段を有することを特徴とする無線通信システム。
【請求項３】  前記管理手段は、前記無線通信装置の無線通信を提供する事業者が所有する第２のサーバ装置に対して、前記無線通信装置の存在場所を通知することを特徴とする請求項２記載の無線通信システム。
【請求項４】  前記管理手段は、前記無線通信装置が前記所定エリアへ進入した時刻、退出した時刻も管理することを特徴とする請求項２又は３記載の無線通信システム。
【請求項５】  人の入出規制を行う入出規制装置であって、
第１の無線通信方式により、無線通信装置に対して通信機能の制限要求を送信し、前記無線通信装置から前記通信機能制限要求に対する応答を受信する通信手段と、
前記通信手段による前記通信機能制限要求の送信と前記応答の受信が完了すると、人の入出を許可するゲート装置と、
を有することを特徴とする入出規制装置。
【請求項６】  前記ゲート装置は、ゲートの開け閉めにより人に入出を管理することを特徴とする請求項５記載の入出規制装置。
【請求項７】  前記通信機能制限要求は、通信制限を受けない非制限モード、リアルタイム系通信における着信音を自動的にオフ状態とするマナーモード、リアルタイム系通信に自動的に応答するドライブモード、リアルタイム系通信を禁止し、非リアルタイム系通信のみを許可するリアルタイム系通信禁止モード、全ての通信の発着信を禁止する発着信禁止モード、無線信号の送信を禁止する無線信号送信禁止モード、のいずれかのモードへの変更を要求するために用いられることを特徴とする請求項５又は６記載の入出規制装置。
【請求項８】  前記応答には、前記無線通信装置が前記通信機能制限要求を受信した後の第２の無線通信方式の通信機能を示す情報が含まれることを特徴とする請求項５から７のいずれか１項に記載の入出規制装置。
【請求項９】  前記無線通信装置の所定エリアへの進入、退出をサーバ装置に通知する通知手段を更に有することを特徴とする請求項５から８のいずれか１項に記載の入出規制装置。
【請求項１０】  前記通知手段は、前記無線通信装置の所定エリアへの進入、退出の時刻をサーバ装置に通知することを特徴とする請求項９記載の入出規制装置。
【請求項１１】  前記通信手段は、前記無線通信装置が所定エリアから退出する場合には、前記第２の無線通信方式の通信の制限を解除するための指示信号を送信することを特徴とする５から１０のいずれか１項に記載の入出規制装置。
【請求項１２】  無線通信装置であって、
人の入出規制を行う入出規制装置と第1の無線通信方式により通信するための第１の通信手段と、
第２の無線通信方式により通信するための第２の通信手段と、
前記第１の通信手段によって前記入出規制装置から受信した通信機能制限要求に基づいて、前記第２の通信手段の通信を制限する制限手段と、
を有することを特徴とする無線通信装置。
【請求項１３】  前記通信機能制限要求に対する応答として、通信制限に関する情報を送信する送信手段を有し、
前記入出規制装置は、前記応答の内容に応じて、人の入出を規制することを特徴とする請求項１２記載の無線通信装置。
【請求項１４】  前記第２の通信手段は、通信制限に関する複数のモードに変更可能であり、
前記制限手段は、前記入出規制装置から指示されたモードに基づいて、前記第２の通信手段のモードを変更することを特徴とする請求項１２又は１３記載の無線通信装置。
【請求項１５】  前記制限手段は、人が所定エリアに進入する際に、前記入出規制装置から指示されたモードの通信制限が、予め前記第２の通信手段に設定されているモードの通信制限より厳しい場合は、前記指示されたモードに前記第２の通信手段のモードを変更し、厳しくない場合は、前記モード変更は行わないことを特徴とする請求項１４記載の無線通信装置。
【請求項１６】  前記複数のモードは、通信制限を受けない非制限モード、リアルタイム系通信における着信音を自動的にオフ状態とするマナーモード、リアルタイム系通信に自動的に応答するドライブモード、リアルタイム系通信を禁止し、非リアルタイム系通信のみを許可するリアルタイム系通信禁止モード、全ての通信の発着信を禁止する発着信禁止モード、無線信号の送信を禁止する無線信号送信禁止モード、のうちの少なくとも１つを含むことを特徴とする請求項１４又は１５記載の無線通信装置。
【請求項１７】  人の入出規制を行う入出規制装置と、該入出規制装置との間で通信を行う無線通信装置とを有する無線通信システムの制御方法であって、
前記入出規制装置は、
第１の無線通信方式により、前記無線通信装置に対して通信機能の制限要求を送信し、前記無線通信装置から前記通信機能制限要求に対する応答を受信する通信工程と、
前記通信工程における前記通信機能制限要求の送信と前記応答の受信が完了すると、人の入出を許可する許可工程と、を有し、
前記無線通信装置は、前記第１の無線通信方式により前記入出規制装置と通信するための第１の通信部と、第２の無線通信方式により通信するための第２の通信部と、を有し、
前記第１の通信部により前記第１の無線通信方式を用いて前記入出規制装置と通信する通信工程と、
前記第１の通信部によって前記入出規制装置から受信した前記通信機能制限要求に基づいて、前記第２の通信部の通信を制限する制限工程と、
を有することを特徴とする無線通信システムの制御方法。
【請求項１８】  人の入出規制を入出規制装置と、人の入出を管理するサーバ装置を有する無線通信システムの制御方法であって、
前記入出規制装置は、
第１の無線通信方式により、無線通信装置に対して通信機能の制限要求を送信し、前記無線通信装置から前記通信機能制限要求に対する応答を受信する通信工程と、
前記通信工程における前記通信機能制限要求の送信と前記応答の受信が完了すると、人の入出を許可する許可工程と、
前記通信手段により受信した前記応答の送信元である無線通信装置が、所定のエリア内に存在することを前記サーバ装置に通知する通知工程と、を有し、
前記サーバ装置は、
前記通知工程における通知に基づいて、前記無線通信装置の存在場所を管理する管理工程を有することを特徴とする無線通信システムの制御方法。
【請求項１９】  人の入出規制を行う入出規制装置の制御方法であって、
第１の無線通信方式により、前記無線通信装置に対して通信機能の制限要求を送信し、前記無線通信装置から前記通信機能制限要求に対する応答を受信する通信工程と、
前記通信工程における前記通信機能制限要求の送信と前記応答の受信が完了すると、人の入出を許可する許可工程と、
を有することを特徴とする入出規制装置の制御方法。
【請求項２０】  人の入出規制を行う入出規制装置と第１の無線通信方式により通信するための第１の通信部と、第２の無線通信方式により通信するための第２の通信手段を有する無線通信装置の制御方法であって、
前記第１の通信部により前記第１の無線通信方式を用いて前記入出規制装置と通信する通信工程と、
前記第１の通信部によって前記入出規制装置から受信した前記通信機能制限要求に基づいて、前記第２の通信部の通信を制限する制限工程と、
を有することを特徴とする無線通信装置の制御方法。
【手続補正３】
【補正対象書類名】明細書
【補正対象項目名】０００１
【補正方法】変更
【補正の内容】
【０００１】
【発明の属する技術分野】
本発明は、無線通信システム、入出規制装置、無線通信装置、及びこれらの制御方法に関する。
【手続補正４】
【補正対象書類名】明細書
【補正対象項目名】０００９
【補正方法】変更
【補正の内容】
【０００９】
本発明はこのような事情に鑑みなされたものであって、通信場所の所有者や管理者と無線通信装置のユーザの双方の要望に応じた通信制御を行うことのできる無線通信システム、入出規制装置、無線通信装置、及びこれらの制御方法を提供することを目的とする。
【手続補正５】
【補正対象書類名】明細書
【補正対象項目名】００１０
【補正方法】変更
【補正の内容】
【００１０】
【課題を解決するための手段】
上記目的を達成するために、本発明の無線通信システムは、人の入出規制を行う入出規制装置と、該入出規制装置との間で通信を行う無線通信装置とを有する無線通信システムであって、前記入出規制装置は、第１の無線通信方式により、前記無線通信装置に対して通信機能の制限要求を送信し、前記無線通信装置から前記通信機能制限要求に対する応答を受信する通信手段と、前記通信手段による前記通信機能制限要求の送信と前記応答の受信が完了すると、人の入出を許可するゲート装置と、を有し、前記無線通信装置は、前記第1の無線通信方式により前記入出規制装置と通信するための第１の通信手段と、第２の無線通信方式により通信するための第２の通信手段と、前記第１の通信手段によって前記入出規制装置から受信した前記通信機能制限要求に基づいて、前記第２の通信手段の通信を制限する制限手段と、を有することを特徴とする。
【手続補正６】
【補正対象書類名】明細書
【補正対象項目名】００１１
【補正方法】変更
【補正の内容】
【００１１】
また、本発明に係る無線通信システムは、人の入出規制を行う入出規制装置と、人の入出を管理するサーバ装置を有する無線通信システムであって、前記入出規制装置は、第１の無線通信方式により、無線通信装置に対して通信機能の制限要求を送信し、前記無線通信装置から前記通信機能制限要求に対する応答を受信する通信手段と、前記通信手段による前記通信機能制限要求の送信と前記応答の受信が完了すると、人の入出を許可するゲート装置と、前記通信手段により受信した前記応答の送信元である無線通信装置が、所定のエリア内に存在することを前記サーバ装置に通知する通知手段と、を有し、前記サーバ装置は、前記通知手段による通知に基づいて、前記無線通信装置の存在場所を管理する管理手段を有することを特徴とする。
【手続補正７】
【補正対象書類名】明細書
【補正対象項目名】００１２
【補正方法】変更
【補正の内容】
【００１２】
さらに、本発明に係る入出規制装置は、人の入出規制を行う入出規制装置であって、第１の無線通信方式により、無線通信装置に対して通信機能の制限要求を送信し、前記無線通信装置から前記通信機能制限要求に対する応答を受信する通信手段と、前記通信手段による前記通信機能制限要求の送信と前記応答の受信が完了すると、人の入出を許可するゲート装置と、を有することを特徴とする。
【手続補正８】
【補正対象書類名】明細書
【補正対象項目名】００１３
【補正方法】変更
【補正の内容】
【００１３】
また、本発明に係る無線通信装置は、無線通信装置であって、人の入出規制を行う入出規制装置と第１の無線通信方式により通信するための第１の通信手段と、第２の無線通信方式により通信するための第２の通信手段と、前記第１の通信手段によって前記入出規制装置から受信した通信機能制限要求に基づいて、前記第２の通信手段の通信を制限する制限手段と、を有することを特徴とする。
【手続補正９】
【補正対象書類名】明細書
【補正対象項目名】００１４
【補正方法】変更
【補正の内容】
【００１４】
また、本発明に係る無線通信システムの制御方法は、人の入出規制を行う入出規制装置と、該入出規制装置との間で通信を行う無線通信装置とを有する無線通信システムの制御方法であって、前記入出規制装置は、第１の無線通信方式により、前記無線通信装置に対して通信機能の制限要求を送信し、前記無線通信装置から前記通信機能制限要求に対する応答を受信する通信工程と、前記通信工程における前記通信機能制限要求の送信と前記応答の受信が完了すると、人の入出を許可する許可工程と、を有し、前記無線通信装置は、前記第1の無線通信方式により前記入出規制装置と通信するための第１の通信部と、第２の無線通信方式により通信するための第２の通信部と、を有し、前記第１の通信部により前記第１の無線通信方式を用いて前記入出規制装置と通信する通信工程と、前記第１の通信部によって前記入出規制装置から受信した前記通信機能制限要求に基づいて、前記第２の通信部の通信を制限する制限工程と、を有することを特徴とする。
本発明に係る無線通信システムの制御方法は、人の入出規制を入出規制装置と、人の入出を管理するサーバ装置を有する無線通信システムの制御方法であって、前記入出規制装置は、第１の無線通信方式により、無線通信装置に対して通信機能の制限要求を送信し、前記無線通信装置から前記通信機能制限要求に対する応答を受信する通信工程と、前記通信工程における前記通信機能制限要求の送信と前記応答の受信が完了すると、人の入出を許可する許可工程と、前記通信手段により受信した前記応答の送信元である無線通信装置が、所定のエリア内に存在することを前記サーバ装置に通知する通知工程と、を有し、前記サーバ装置は、前記通知工程における通知に基づいて、前記無線通信装置の存在場所を管理する管理工程を有することを特徴とする。
本発明に係る入出規制装置の制御方法は、人の入出規制を行う入出規制装置の制御方法であって、第１の無線通信方式により、前記無線通信装置に対して通信機能の制限要求を送信し、前記無線通信装置から前記通信機能制限要求に対する応答を受信する通信工程と、前記通信工程における前記通信機能制限要求の送信と前記応答の受信が完了すると、人の入出を許可する許可工程と、を有することを特徴とする。
本発明に係る無線通信装置の制御方法は、人の入出規制を行う入出規制装置と第１の無線通信方式により通信するための第１の通信部と、第２の無線通信方式により通信するための第２の通信手段を有する無線通信装置の制御方法であって、前記第１の通信部により前記第１の無線通信方式を用いて前記入出規制装置と通信する通信工程と、前記第１の通信部によって前記入出規制装置から受信した前記通信機能制限要求に基づいて、前記第２の通信部の通信を制限する制限工程と、を有することを特徴とする。
【手続補正１０】
【補正対象書類名】明細書
【補正対象項目名】００７９
【補正方法】変更
【補正の内容】
【００７９】
以上詳述したように、上記各実施形態によれば、通信制限区域内への進入時には、建物等の管理者又は所有者が所望する通信制限を行うことができ、したがって、建物等の管理者又は所有者は、無線通信端末のユーザにその使用を控えるようにアナウンスする労力を要することなく、周囲の人が迷惑を蒙るのを回避することができ、その一方では、通信制限区域外では無線通信端末のユーザが所望する通信状態でもって通信を行うことができる。
【手続補正１１】
【補正対象書類名】明細書
【補正対象項目名】００８１
【補正方法】変更
【補正の内容】
【００８１】
また、非常事態が発生したときは、通信制限モードを解除することにより、人体に危害が及ぶような非常事態時においては迅速に対処することが可能になる。
【発明の効果】
以上説明したように、本発明によれば、通信場所の所有者や管理者と無線通信装置のユ
ーザの双方の要望に応じた通信制限を行うことができる。